(57)【特許請求の範囲】
【請求項１】
ケーブル線路終端部の保護ケースを貫通してＯＦケーブル内部の油通路に接続されて絶縁油を収納した油槽に至る給油管と、前記給油管を分岐する分岐器と、この分岐器に接続されて絶縁油を採油するための採油バルブとを備え、
前記ＯＦケーブル線路の呼吸作用により、前記保護ケースから前記給油管側に逆流する絶縁油の最大油量をＶ立法メートルとし、前記給油管の実効断面積をＳ平方メートルとしたとき、前記給油管に沿って前記保護ケースからＶ／Ｓメートル以内の位置に前記分岐器が配置されることを特徴とするＯＦケーブル線路。
【請求項２】
請求項１に記載のＯＦケーブル線路において、
前記給油管には、前記油槽から複数のＯＦケーブル線路終端部に絶縁油を供給するバルブパネルが挿入されており、前記分岐器は、前記バルブパネルと前記ＯＦケーブル線路終端部との間に配置されていることを特徴とするＯＦケーブル線路。
【請求項３】
ケーブル線路終端部の保護ケースを貫通してＯＦケーブル内部の油通路に接続されて絶縁油を収納した油槽に至る給油管に対して、当該給油管を分岐して絶縁油を採油する分岐器を接続し、前記ＯＦケーブル線路の呼吸作用により、前記保護ケースから前記給油管側に絶縁油が逆流するタイミングで前記分岐器を通じて絶縁油を採油して、前記ＯＦケーブル線路中の絶縁油を分析することを特徴とするケーブル線路の診断方法。
【発明の詳細な説明】
【０００１】
【発明の属する技術分野】
本発明は、ＯＦケーブルから絶縁油を採取するのに用いるＯＦケーブル線路とケーブル線路の診断方法に関する。
【０００２】
【従来の技術】
ＯＦケーブル線路では、線路の絶縁破壊事故を未然に防止するために、線路内の絶縁油が定期的あるいは必要時に採油される。採油された絶縁油は、含有水分量や含有ガス量の分析がされる。この含有水分量や含有ガス量に基づいて絶縁油の劣化等が発見される。従って、線路内の適切な場所から適切な分析サンプルを採油することが、線路事故の未然防止や早期発見に繋がる。
【０００３】
図６は、従来の採油箇所説明図である。図より、ＯＦケーブル線路は、ＯＦケーブル線路終端部１０１と、ＯＦケーブル１０２と、ケーブル接続部１０３とを備える。ケーブル線路終端部１０１は、ＯＦケーブル線路の終端立ち上げ部分に配置され、図示しない碍管等に収容される。ケーブル接続部１０３は、隣り合うＯＦケーブル１０２を直線接続する部分である。このようなＯＦケーブル線路では、ケーブル線路終端部１０１に油槽１０５が接続されている。従来、このＯＦケーブル線路内部の絶縁油を分析するための採油箇所は、各ケーブル接続部１０３に配置されている。即ち、分析サンプルは、各ケーブル接続部１０３に設けられた採油コネクタ１０４から採油されていた。
【０００４】
【発明が解決しようとする課題】
ところで、上記のような従来の技術には、次のような解決すべき課題があった。このようなＯＦケーブル線路で、特にケーブル線路終端部１０１から採油することが出来ないために、ケーブル線路終端部１０１で異常事態が発生している場合には、発見が遅れる場合があった。この弊害は、直線接続部と同様に、採油コネクタを設けたケーブル線路終端部をＯＦケーブル線路に採用すれば容易に解決される。しかし、近年ＣＶケーブルの高圧化が進みＯＦケーブル線路の新設は激減している。むしろ、現在敷設済みのＯＦケーブル線路に対する対策が、当面の課題となっている。
【０００５】
【課題を解決するための手段】
本発明は以上の点を解決するため次の構成を採用する。
〈構成１〉
ケーブル線路終端部の保護ケースを貫通してＯＦケーブル内部の油通路に接続されて絶縁油を収納した油槽に至る給油管と、上記給油管を分岐する分岐器と、この分岐器に接続されて絶縁油を採油するための採油バルブとを備えることを特徴とするＯＦケーブル線路。
【０００６】
〈構成２〉
構成１に記載のＯＦケーブル線路において、上記給油管には、上記油槽から複数のＯＦケーブル線路終端部に絶縁油を供給するバルブパネルが挿入されており、上記分岐器は、上記バルブパネルと上記ＯＦケーブル線路終端部との間に配置されていることを特徴とするＯＦケーブル線路。
【０００７】
〈構成３〉
構成２に記載のＯＦケーブル線路において、上記ＯＦケーブル線路の呼吸作用により、上記保護ケースから上記給油管側に逆流する絶縁油の最大油量をＶ立法メートルとし、上記給油管の実効断面積をＳ平方メートルとしたとき、上記給油管に沿って上記保護ケースからＶ／Ｓメートル以内の位置に上記分岐器が配置されることを特徴とするＯＦケーブル線路。
【０００８】
〈構成４〉
ケーブル線路終端部の保護ケースを貫通してＯＦケーブル内部の油通路に接続されて絶縁油を収納した油槽に至る給油管に対して、当該給油管を分岐して絶縁油を採油する分岐器を接続し、上記ＯＦケーブル線路の呼吸作用により、上記保護ケースから上記給油管側に絶縁油が逆流するタイミングで上記分岐器を通じて絶縁油を採油して、上記ＯＦケーブル線路中の絶縁油を分析することを特徴とするケーブル線路の診断方法。
【０００９】
【発明の実施の形態】
以下、本発明の実施の形態を具体例を用いて説明する。
図１は、本発明のケーブル終端部を採用したＯＦケーブル線路概略構成図である。
図のＯＦケーブル線路は、所定の区間ごとにケーブル接続部５を介して接続されたＯＦケーブル６から成る。その終端には、ケーブル線路終端部３が設けられている。ケーブル線路終端部３には、給油管９を介して油槽１が接続されている。油槽１には、セル１０と加圧油１１とが収容されている。油槽１とケーブル線路終端部３とを繋ぐ給油管９には、バルブパネル２が挿入されている。このバルブパネル２は、１本の給油管９を３方向に分岐するために、主バルブ２−０と副バルブ２−１、２−２、２−３が設けたものである。
【００１０】
例えば、３相１回線のＯＦケーブル線路の場合、各相に対し１つの油槽１から絶縁油が供給される。バルブ２−１、２−２、２−３はこれらの各相に絶縁油を供給するための給油管に接続される。この図では、その内の１相分のみを図示した。このバルブパネル２とケーブル線路終端部３の間を結ぶ給油管９には、分岐器２０が接続され、ここに採油バルブ２１が取り付けられている。給油管９は所定の管径の金属管からなる。分岐器２０も同様の金属管からなる。給油管９と分岐器２０とは溶接接続されており、給油管９の内部を通る絶縁油が採油バルブ２１の方向に取り出せるように構成されている。
【００１１】
本発明では、既存の給油管９に対し、分岐器２０を取り付ける事によって、ケーブル線路終端部３から新たに絶縁油を採取できるようにした。例えば、給油管９に分岐器２０と採油バルブ２１を取り付けた構造のものを別に用意し、既存の給油管９と置き換える事により、改造工事が完了する。ケーブル線路終端部３自体の改造は不要である。以下図１に示した分岐器２０と採油バルブ２１の部分の具体的な構成を説明する。
【００１２】
図２は、本発明によるケーブル線路終端部３の側面図である。
図に示すように、ＯＦケーブル４の立ち上げ終端は、碍管１２と上部覆１３によって絶縁保護されている。ＯＦケーブル４の図示しない油通路は保護ケース１５の内部で終端している。これらの構成は既存のものと変わりない。給油管９は保護ケース１５を貫通して、保護ケース１５の内部の油通路に接続される。この給油管９に分岐器２０と採油バルブ２１を取り付ける。
【００１３】
図３は、上記保護ケースの分岐器２０を取り付けた部分の拡大側面図である。
図３（ａ）は、図２に示した保護ケース１５の主要部をそのまま拡大した側面図で、（ｂ）は、（ａ）の部分を左側から見た側面図である。
【００１４】
図に示すように、ＯＦケーブルの終端の保護ケース１５に、ステンレスバンド２２とバルブ取付座２３を取り付ける事によって、採油バルブ２１を固定する。そして、給油管９に接続した分岐器２０と採油バルブ２１を通じて絶縁油を採油するように構成している。採油バルブ２１を開放すると、採油口２５から絶縁油を採取できる。給油管９はエルボーパイプ２６を通じて保護ケース１５の内部のＯＦケーブルの図示しない油通路に接続される。その接続方法は任意であり、従来どおりでよい。給油管９は、ナット２７を回転させる事によってエルボーパイプ２６に着脱できる。従って、この部分で従来取り付けられていた給油管９を外し、新たに分岐器２０を取り付けた給油管９を接続する事によって、既存のＯＦケーブル線路終端部に採油機能を付与する事ができる。
【００１５】
なお、このように給油管９の途中に分岐器２０を接続して採油を行う場合、分岐器２０を取り付ける位置が問題になる。図３に示した例では、保護ケース１５を利用して分岐器２０の先に設けられた採油バルブ２１を固定支持した。しかしながら、別の任意の場所に採油バルブを取り付ける事ができれば、それでもよい。
【００１６】
図４は、ＯＦケーブル線路への分岐器２０の取付位置を説明する説明図である。
ＯＦケーブル線路では、外気温の変化や線路電流の増減により、内部に満たされた絶縁油の熱伸縮が生じる。内部に出された絶縁油が熱膨張すると、図４に示したように保護ケース１５から油槽１の方向に、矢印Ｘのように給油管９を通って絶縁油が逆流する。一方、環境温度が低下して絶縁油が熱収縮すると、内部の油圧が下がった分だけ油槽１から矢印Ｙ方向に絶縁油が供給される。これがＯＦケーブル線路の呼吸作用である。
【００１７】
油槽１の内部の絶縁油の成分とＯＦケーブル６の終端に近い部分の絶縁油の成分とを実際に採取して比較すると、ＯＦケーブル線路の呼吸作用によっても絶縁油の混ざり合いがほとんどないことがわかる。すなわち、油槽１に近い部分で絶縁油を採取しても、ＯＦケーブル６の終端部近傍の絶縁油の成分を知る事は難しい。しかし、ＯＦケーブル６の終端に近い部分や、保護ケース１５の内部から直接絶縁油を採取使用とすると、これらの改造が必要になる。それは、送電を停止して行わなければならない工事になる。
【００１８】
一方、本発明では、給油管９に分岐器を取り付けるだけなので、送電を継続したまま簡単な工事で採油機能が付与できる。分岐器２０からＯＦケーブル６の終端に近い部分の絶縁油を採油するには、ＯＦケーブル線路の呼吸作用により給油管９側に保護ケース１５から絶縁油が逆流するタイミングで絶縁油を採油する。すなわち、環境温度が比較的高く、ＯＦケーブル６から保護ケース１５を通じて矢印Ｘ方向に絶縁油が流れ出している時に、採油バルブ２１を開いて絶縁油を採取する。
【００１９】
また、こうした採油を可能にするためには、保護ケース１５からあまり遠い位置に分岐器２０を取り付ける事は好ましくない。例えば、図４に示したＣの位置では、バルブパネル２を通じて他相のＯＦケーブル線路の絶縁油が流れ込むため、採油位置として適さない。さらに、Ａの位置とＢの位置とを比較した場合には、Ａの位置の方がより採油に適する。例えば、全長が数キロメートルのＯＦケーブル線路では、絶縁油は保護ケース１５から数リットル程度熱膨張によって給油管９方向に逆流する。このため、給油管９に逆流する絶縁油の最大油量をＶ立方メートルとし、給油管の実効断面積をＳ平方メートルとした時、給油管に沿って保護ケースからＶ／Ｓメートル以内の位置に上記分岐器２０を設けるとよい。
【００２０】
図５は、本発明の変形例を示すＯＦケーブル線路終端部の主要部側面図である。
図に示すように、保護ケース１５を貫通するように設けられたエルボーパイプ２６には、ナット３１と銅管付きユニオン３２とナット３３と絶縁継ぎ手３４とナット３５が順に取り付けられ、ここに給油管９が接続されている。従来のＯＦケーブル線路においては、給油管９と保護ケース１５との間を電気的に切り離すために、絶縁継ぎ手３４を設けたものが多い。このような構造のＯＦケーブル線路終端部では、ナット３１とナット３３をゆるめて、既設の図示しないユニオンを取り外し、図に示すように、新たに分岐器２０と採油バルブ２１を取り付けた銅管付きユニオン３２を取付ければ、既存のＯＦケーブル線路に本発明を採用する事ができる。しかも給油管９全体を交換する必要がないため、交換作業も容易であり、交換のためのコストも充分に安くなる。
【発明の効果】
以上説明した本発明のＯＦケーブル終端部は、ケーブル線路終端部に設けられた既存の給油管に分岐器２０と採油バルブ２１とを取り付ける事によって線路終端部付近の絶縁油を採油する事が可能になる。これにより、既存のＯＦケーブル線路についてもケーブル線路終端部の大幅な改造をする事なく、容易に採油が可能になり、線路の信頼性を高める事ができる。
【図面の簡単な説明】
【図１】本発明のケーブル終端部を採用したＯＦケーブル線路概略構成図である。
【図２】本発明によるケーブル線路終端部３の側面図である。
【図３】（ａ）は、図２に示した保護ケース１５の主要部をそのまま拡大した側面図で、（ｂ）は、（ａ）の部分を左側から見た側面図である。
【図４】ＯＦケーブル線路への分岐器２０の取付位置を説明する説明図である。
【図５】本発明の変形例を示すＯＦケーブル線路終端部の主要部側面図である。
【図６】従来の採油箇所説明図である。
【符号の説明】
１  油槽
２  バルブパネル
３  ケーブル線路終端部
５  ケーブル接続部
６  ＯＦケーブル
８  分岐器
９  給油管
【図１】
0003708045.tif 000002
【図２】
0003708045.tif 000003
【図３】
0003708045.tif 000004
【図４】
0003708045.tif 000005
【図５】
0003708045.tif 000006
【図６】
0003708045.tif 000007